(57)【要約】
【課題】持ち歩くのに荷物になることなく、特別の維持管理は不要で、洗濯して繰返し使用可能で、暑い季節、人込みの多い場所等での汗拭き、冷風発生の使用に好適な簡易な構造でコストの安いハンカチを得ること。
【解決手段】繊維製略方形状の基布と、前記基布を略四等分又は略十六等分した大きさの硬質又は半硬質の薄厚プラスチック製板状材の芯板とを含み、前記芯板が前記基布の略１／４又は１／１６の部分に不動状態に固着されているハンカチ。
【選択図】　　　　図１　　
0003100261.tif 000002
【実用新案登録請求の範囲】
【請求項１】
　繊維製略方形状の基布と、前記基布を略四等分した大きさの硬質又は半硬質の薄厚プラスチック製板状材の芯板とを含み、前記芯板が前記基布の略１／４の部分に不動状態に固着されていることを特徴とするハンカチ。
【請求項２】
　繊維製略方形状の基布と、前記基布を略十六等分した大きさの硬質又は半硬質の薄厚プラスチック製板状材の芯板とを含み、前記芯板が前記基布の略１／１６の部分に不動状態に固着されていることを特徴とするハンカチ。
【請求項３】
　基布と芯板との固着を、前記基布を二つ折りに畳んで上布及び下布とし重ね合わせた隙間に該上布及び下布を略四等分又は略十六等分した大きさの前記芯板を介在させ、前記芯板、上布及び下布を縫合するか、又は前記上布及び下布を前記芯板の周端縁外側に沿って縫合するかしたことを特徴とする請求項１又は２に記載のハンカチ。
【請求項４】
　基布と芯板との固着を、イ）前記基布の一面におかれた前記芯板を直接該基布と縫合するか、ロ）前記基布の一面におかれた前記芯板表面を被覆材で覆い該被覆材、芯板及び基布を縫合するか、ハ）又は前記被覆材の周囲に鍔状の張出し部を形成し該張出し部と前記基布を縫合するかしたことを特徴とする請求項１又は２に記載のハンカチ。
【請求項５】
　基布と芯板との固着を、前記基布及び芯板間に接着剤又は面ファスナーを介在させてなしたことを特徴とする請求項１又は２に記載のハンカチ。
【請求項６】
　請求項１又は２に記載のハンカチにおいて、芯板と基布との不動状態の固着に代えて、前記芯板と前記基布の周辺部とを重ね合わせ該芯板の外周側隅部から円形軸を有する連結具又は糸状体を貫通して該芯板及び基布の隅部を互いに連結し、前記芯板が前記連結具軸回りの回動又は前記糸状体回りの反転により前記基布と重なる位置から大部分が退避する位置に移動可能とされていることを特徴とするハンカチ。
【請求項７】
　請求項１〜６のいずれかに記載のハンカチにおいて、芯板の厚さが０．２〜１．０ｍｍにとられていることを特徴とするハンカチ。
【請求項８】
　請求項１〜６のいずれかに記載のハンカチにおいて、芯板を板状材に代えて硬質又は半硬質のプラスチック製細長材を多数並べて簾状に形成したことを特徴とするハンカチ。
【請求項９】
　請求項１〜８のいずれかに記載のハンカチにおいて、芯板に僅かな切込み、凹凸、又は切込みと凹凸を加え所望の模様が形成されていることを特徴とするハンカチ。
【考案の詳細な説明】
【技術分野】
【０００１】
　本考案は、夏期等での使用に好適なハンカチの改良に関するものである。
【背景技術】
【０００２】
　ハンカチは通常小さく折り畳まれて、バッグ、小物入れ、ポケット等に入れて持ち運ばれ使用される。特に夏期や人込みの多い場所例えば乗り物、劇場、球場等では、人は発汗したときハンカチの吸湿性をもった素材繊維により汗を拭取るか、小さく折り畳んだハンカチの端部を手で把持して団扇状に前後又は左右に揺動して冷気を発生させている。
【０００３】
　前記従来のハンカチでは、折り畳まれたハンカチは柔らかく腰がないので折曲がり易く揺動しても十分な冷気の発生ができず、団扇又は扇子を別に持ち歩いて対処していた。
　又別の暑気対策として、ハンカチの一部に袋部を形成して、該袋部内に例えばポリエチレングリコールなどの保冷材を着脱自在に収納し、発汗箇所に押当て冷やすという構成のものがある。
【特許文献１】特開２００２−３３９１０４号公報
【考案の開示】
【考案が解決しようとする課題】
【０００４】
　前記従来例では、冷気発生のためハンカチとは別にかさ張る団扇又は扇子を持ち歩くのは荷物になり煩わしい。
　［特許文献１］に記載のものは、発汗箇所を局部的に積極的に冷やすには有効であるが、保冷材の冷却期間には寿命がありその維持管理が必要であり、コストも高く、長時間もたせようとすれはサイズが大きくなる。
　これに対し、本考案は持ち歩くのに荷物になることなく、簡易な構造で特別の維持管理は不要で、洗濯して繰返し使用可能で、暑い季節、人込みの多い場所等での汗拭き、冷風発生のために好適で、コストの安いハンカチを得ることを目的とする。
【課題を解決するための手段】
【０００５】
　この目的を達成するために、請求項１の考案にあっては、繊維製略方形状の基布と、前記基布を略四等分した大きさの硬質又は半硬質の薄厚プラスチック製板状材の芯板とを含み、前記芯板が前記基布の略１／４の部分に不動状態に固着されているハンカチにより解決した。
　請求項２の考案にあっては、繊維製略方形状の基布と、前記基布を略十六等分した大きさの硬質又は半硬質の薄厚プラスチック製板状材の芯板とを含み、前記芯板が前記基布の略１／１６の部分に不動状態に固着されているハンカチとすることができる。
　請求項３の考案にあっては、基布と芯板との固着を、前記基布を二つ折りに畳んで上布及び下布とし重ね合わせた隙間に該上布及び下布を略四等分又は略十六等分した大きさの前記芯板を介在させ、前記芯板、上布及び下布を縫合するか、又は前記上布及び下布を前記芯板の周端縁外側に沿って縫合するかした請求項１又は２に記載のハンカチとすることができる。
　請求項４の考案にあっては、基布と芯板との固着を、イ）前記基布の一面におかれた前記芯板を直接該基布と縫合するか、ロ）前記基布の一面におかれた前記芯板表面を被覆材で覆い該被覆材、芯板及び基布を縫合するか、ハ）又は前記被覆材の周囲に鍔状の張出し部を形成し該張出し部と前記基布を縫合するかした請求項１又は２に記載のハンカチとすることができる。
　請求項５の考案にあっては、基布と芯板との固着を、前記基布及び芯板間に接着剤又は面ファスナーを介在させてなした請求項１又は２に記載のハンカチとすることができる。　請求項６の考案にあっては、請求項１又は２に記載のハンカチにおいて、芯板と基布との不動状態の固着に代えて、前記芯板と前記基布の周辺部とを重ね合わせ該芯板の外周側隅部から円形軸を有する連結具又は糸状体を貫通して該芯板及び基布の隅部を互いに連結し、前記芯板が前記連結具軸回りの回動又は前記糸状体回りの反転により前記基布と重なる位置から大部分が退避する位置に移動可能とされているハンカチとすることができる。　請求項７の考案にあっては、請求項１〜６のいずれかに記載のハンカチにおいて、芯板の厚さが０．２〜１．０ｍｍにとられているハンカチとするのが好ましい。
　請求項８の考案にあっては、請求項１〜６のいずれかに記載のハンカチにおいて、芯板を板状材に代えて硬質又は半硬質のプラスチック製細長材を多数並べて簾状に形成したハンカチとすることができる。
　請求項９の考案にあっては、請求項１〜８のいずれかに記載のハンカチにおいて、芯板に僅かな切込み、凹凸、又は切込みと凹凸を加え所望の模様が形成されているハンカチとすることができる。
【考案の効果】
【０００６】
　本考案のハンカチによれば、持ち歩くのに荷物になることなく、簡易な構造で特別の維持管理は不要で、洗濯して繰返し使用可能で、暑い季節、人込みの多い場所等での汗拭き、冷風発生に好適で、コストが安くて済む。
【考案を実施するための最良の形態】
【０００７】
　本考案の実施の形態を図面を参照して説明する。
　図１は、本考案の第一例、第二例及び第三例のハンカチの正面図及び一部拡大断面図である。図２は、本考案の第四例のハンカチの正面図及び折畳み使用状態説明図である。図３は、図１の第一例のハンカチの使用状態説明図の各図である。図４は、本考案の第五例のハンカチの正面図、一部拡大断面図及び退避状態説明図である。
【０００８】
　図１（ａ−１）、（ａ−２）に示す本考案の第一例のハンカチ１は、基布１１と芯板１２とを有している。
　基布１１は、繊維例えば綿、レーヨン、アセテート、ポリエステル、ナイロン若しくはポリプロピレン等の単独又は混紡糸を適宜組合わせて得られた略方形状の布で、組織によって四方周辺部はほつれ防止のため縢ってある。組織としては、プレーンな例えば平織地等の薄手の在来汎用のハンカチから、厚地のタオル地等の最近増えたタオルハンカチと呼ばれるものまであり、意匠性に富んだ各種柄物、変り織りのものも多くあり、特に限定はない。基布１１は組立て時において、略長方形に裁断された布を二つ折りに畳んで略正方形の上布１１ａ及び下布１１ｂとし、図１（ａ−１）、（ａ−２）に示す通り、正面視において上端に折り目１１ｃをおき左右重ね縁部の縫目１１ｄ及び下端重ね縁部の縫目１１ｅに沿ってミシン糸等通して縫合する。芯板１２を上布１１ａ及び下布１１ｂの重ね合わせた隙間に介在させ、基布１１の上布１１ａ及び下布１１ｂ隅部本例では正面視において右上隅部略１／４の部分におく。仕上がりの外形は通常略正方形が多く、使用されている外寸は通常大寸のもので３５〜５０ｃｍ平方、小寸のもで２０〜３４ｃｍ平方が多いがこれには限定されず、上下左右に１〜２ｃｍの寸法差のある略長方形の場合や、隅に湾曲部や周囲に飾りを付けたりしたものもある。
　ここの第一例のハンカチ１は小寸の略正方形のもので、吸湿性の大きい比較的厚手のタオル地を使用したものである。
　芯板１２は、上布１１ａ及び下布１１ｂを略４等分した大きさの略正方形の硬質又は半硬質の薄厚プラスチック製板状材で、通常例えば汎用のポリ塩化ビニル、ポリプロピレン、ポリエステル、ナイロン等の洗濯によって変形しないものが使用されるが、素材はこれに限定されない。後述する通り冷風発生の際団扇状に用いるとき、厚さが厚過ぎると固過ぎて継続しての冷風発生が困難であり、薄過ぎると腰が弱く冷風発生が弱いので、適度の固さと腰があり団扇状に使用可能なものが選択される。材質により若干の差があるものの、通常厚さ０．２〜１．０ｍｍのものが好ましく、特に０．３〜０．７ｍｍのものが最も好ましい。
　ハンカチ１の組立ては、芯板１２を上布１１ａ及び下布１１ｂの重ね合わせた隙間に正面視において右上隅部略１／４の部分におき、芯板１２の四周端縁から僅かに内側と上布１１ａ及び下布１１ｂとを縫目１１ｆに沿って略正方形にミシン糸等通して縫合し芯板１２を不動状態に固着し、ハンカチ１が得られる。
　ここで、縫目１１ｆは芯板１２を貫通せずに、芯板１２の周端縁外側に沿って上布１１ａ及び下布１１ｂをミシン糸等通して略正方形に縫合し袋状にして芯板１２を不動状態に固着してもよい。又縫目１１ｆは略正方形とせずに、図１（ｃ−１）に示すように芯板１２に万遍なく行き渡るように、略正多角形としたり、デザイン化された模様としたり他の任意形状としてもよい。更に、基布１１の素材はタオル地でなく、他の薄手地であってもよい。
　ハンカチ１は、芯板１２が上布１１ａ及び下布１１ｂによって袋状に覆われているので、全体の外見に違和感がない利点があるが厚みが厚くなる。
【０００９】
　図１（ｂ−１）、（ｂ−２）に示す本考案の第二例のハンカチ２は、基布２１と、芯板２２と、被覆材２３とを有している。
　基布２１は、前記布１１の上布１１ａ又は下布１１ｂのいずれかと同大略正方形で素材が平織の一枚物の薄手地の在来汎用のハンカチで、四方端縁部はほつれ防止のため上下端の縫目２１ａ、左右端の縫目２１ｂに沿ってミシン糸等で縢ってある。
　芯板２２は、素材は前記芯板１２と同様で、基布２１を略４等分した大きさより僅かに小さい略正方形にとられている。
　被覆材２３は、基布２１を略４等分した大きさの略正方形で、素材は基布２１と同一でもよく又同一でなく別のものに変えてもよい。
　ハンカチ２の組立ては、図１（ｂ−１）、（ｂ−２）に示す通り、基布２１を広げた所の隅部上面本例では右上隅部略１／４の部分の僅かに内側へずらした位置に芯板２２をおき、芯板２２の上面を被覆材２３で覆うと被覆材２３の方が芯板２２より僅かに大きいので四周囲に鍔状の張出し部２３ａが形成される。張出し部２３ａを縫目２３ｂに沿って略正方形にミシン糸等通して基布２１と縫合することにより、芯板２２は四周囲を押さえられ基布２１と不動状態に固着し、ハンカチ２が得られる。
　ここで、芯板２２を被覆材２３と同じ大きさに合わせ、被覆材２３と芯板２２とを基布２１の右上隅部に重ね合わせ、被覆材２３、芯板２２及び基布２１をミシン糸等を通して縫合せしめてもよい。又基布２１の素材は薄手地でなくタオル地であってもよい。
【００１０】
　図１（ｃ−１）、（ｃ−２）に示す本考案の第三例のハンカチ３は、基布３１と、芯板３２とを有している。
　基布３１は前記基布２１と同様で、四方端縁部は上下の縫目３１ａ、左右の縫目３１ｂに沿ってミシン糸等で縢ってある。
　芯板３２は基布３１を略４等分した大きさの略正方形で、素材は芯板１２、２２と同様である。芯板３２は、表面が露出するので色や模様付としたり、印刷したりしてもよい。　ハンカチ３の組立ては、図１（ｃ−１）、（ｃ−２）に示す通り、基布３１を広げた所の隅部上面本例では右上隅部略１／４の部分に芯板３２をおき、縫目３２ａに沿って略正六角形にミシン糸等通して基布３１と芯板３２とを直接縫合することにより、芯板３２は基布３１と不動状態に固着し、ハンカチ３が得られる。ここで縫目３２ａは略正六角形とせずに、前記縫目１１ｆ、２１ｃと同様に略正方形としたり、芯板３２に万遍なく行き渡るような任意形状としてもよい。又基布３１の素材は薄手地でなくタオル地であってもよい。
【００１１】
　図２に示す本考案の第四例のハンカチ４は、基布４１と、芯板４２とを有している。
　基布４１は、素材は基布２１、３１と同様であるが大きさが大寸の略正方形で、四方周辺部はミシン糸等で縢ってあるが図示省略してある。
　芯板４２は基布４１を略十六等分した大きさの略正方形で、素材は前記芯板１２、２２、３２と同様である。
　詳細図示省略するが、芯板４２と基布４１とを略正方形の縫目４２ａに沿って直接縫合し不動状態に固着し、ハンカチ４が得られる。
　ここで、芯板４２と基布４１との不動状態の固着は、前記ハンカチ１乃至３と同様としてもよい。図２（ａ）に示す例では、芯板４２は基布４１隅部本例では右上隅部略１／１６の部分におかれているが、この位置は基布４１の他の任意の略１／１６の部分であってもよい。しかしアイロン掛けを行うには中間位置にあるとその部分を避けるための特別の注意が必要となるので、隅部におくのが好ましい。
【００１２】
　次に、ハンカチ１の使用について説明する。
　手や顔を拭くときには、図１（ａ−１）（ａ−２）に示すようにハンカチ１を広げたままで、芯板１２が不動状態に固着されている部分以外の基布１１の布部分を用いて行う。　冷風を発生したいときには、図３に示すように芯板１２を基布１１内部におき、上布１１ａ及び下布１１ｂ全体を略１／４の大きさに折り畳む。そして露出している一方面側の上布１１ａ又は下布１１ｂに手Ａの親指Ａ１ を当て、残りの人差し指Ａ２ 、中指Ａ３ 、薬指Ａ４ 及び小指Ａ５ の全部又はいずれかの複数本を他方面側の上布１１ａ又は下布１１ｂに当ててハンカチ１を把持し、手Ａの手首を軸として前後ＸＹ方向に揺動すると、芯板１２が硬質又は半硬質のプラスチック製板状材であるため折畳まれたハンカチ１は適度の固さと腰があり団扇状に冷気を有効に発生させることができる。
　ハンカチ１の汗や汚れを落とすには、そのまま洗濯機か手洗いにより洗濯可能である。しかし、熱乾燥は芯板１２が損傷する場合があり避ける必要があるが、基布１１がタオル地であり皺延ばしのためのアイロン掛けは不要である。
【００１３】
　ハンカチ２又は３の使用について説明する。
　手や顔を拭くときには、図１（ｂ−１）（ｂ−２）又は図１（ｃ−１）（ｃ−２）に示すようにハンカチ２又は３を広げたままで行う。
　冷風を発生したいときには、芯板２２又は３２を内部におき基布２１又は３１全体の略１／４の大きさになるように折り畳む。そして基布２１又は３１に前記ハンカチ１の使用時と同様に指を当て手Ａで把持し、手首を軸として前後方向に揺動する。
　汗や汚れを落とすには、ハンカチ２又は３をそのまま洗濯機か手洗いにより洗濯可能である。しかし、熱乾燥は芯板２２又は３２が熱損傷する場合があり避ける必要があり、又基布２１又は３１が薄手地であり皺延ばしのためのアイロン掛けが必要である。その場合には、芯板２２又は２３が熱損傷するのでこの部分にはアイロンが当たらないように注意が必要であるが、芯板２２、３２と基布２１、３１とは不動状態に固着されているので、皺発生は少なく、冷風発生時には芯板２２又は３２は内部におかれて表面側に露出することがないので、アイロン掛けなしでも目立つことはない。
【００１４】
　ハンカチ４の使用について説明する。
　手や顔を拭くときには、図２（ａ）に示すようにハンカチ４を広げたままで行う。
　冷風を発生したいときには、図２（ｂ）に示すように芯板４２を内部におき基布４１全体の略１／１６の大きさになるように折り畳む。そして前記ハンカチ１の使用時と同様に基布４１の露出している一方面側と他方面側に指を当てて手Ａで把持し、手Ａの手首を軸として前後方向に揺動する。
　洗濯、熱乾燥及びアイロン掛けは前記ハンカチ２又は３と同様の留意が必要である。
【００１５】
　次に説明するのは、前記ハンカチ１乃至４と異なる例の図４に示す本考案の第五例のハンカチ５は、基布５１と、芯板５２と、連結具５３とを有している。
　基布５１、芯板５２は、前記ハンカチ３の基布３１、芯板３２と同様であり、詳細説明は省略する。
　連結具５３は、基布５１と芯板５２とを円形軸によって回動可能とし容易に離脱しないように互いに連結する例えば鳩目、ホック、リベット、小ねじ、ビス等であるが、ここではリベットを用いている。
　ハンカチ５の組立ては、図４（ａ）（ｂ）に示す通り、基布５１を広げた所の隅部上面本例では右上隅部略１／４部分に重ね合わせた芯板５２の外周側隅部に連結具５３を貫通して芯板５２及び基布５１を回動可能に連結し、ハンカチ５が得られる。ここで、基布５１の素材は薄手地でなくタオル地であってもよい。ハンカチ１乃至４と異なり、ハンカチ５は、芯板５２と基布５１とは不動状態の固着に代えて連結具５３の軸回りに回動可能に連結されている。
　ハンカチ５の使用は、手や顔を拭くときには、図４（ａ）に示すようにハンカチ５を広げ、基布５１の右上隅部略１／４部分に重ね合わせた芯板５２を一方の手の指で把持し、他方の手の指で基布５１を押さえ、連結具５３の軸回りに矢印Ｚ方向又はその反対方向に回動して芯板の大部分が基布５１と重ならない図４（ｃ）に示す芯板５２又は５２′若しくはそれらの中間の退避する位置に移動せしめることにより、基布５１の大部分を手や顔を拭くのに有効に利用可能である。
　冷風を発生したいときには、芯板５２を基布５１の右上隅部略１／４部分に前記回動方向と反対に連結具５３の軸回りに戻して芯板５２及び基布５１を重ね合わせ、芯板５２を内部におき基布５１全体の略１／４の大きさになるように折り畳む。そして前記ハンカチ３の使用時と同様に基布５１に指を当て手Ａで把持し、前後方向に揺動する。
　汗や汚れを落とすには、ハンカチ５をそのまま洗濯機か手洗いにより洗濯可能である。熱乾燥はハンカチ３と同様の注意が必要であるが、アイロン掛けは芯板５２の大部分を基布５１と重ならない位置に退避させて行えば熱損傷なく円滑に行える。
　前記ハンカチ５は基布５１が小寸の場合で説明したが、図２に示すハンカチ４と同様の大寸であってもよい。そのときは、基布５１は基布４１と同様にとり、芯板５２は芯板４２と同様にとり、この大寸の基布を略十六等分した大きさの芯板の外周側隅部と基布の周辺部にある略１／１６の部分とに連結具５３を貫通する。これは、大寸の基布では、外側に面している周辺部以外の内部に芯板を重ね合わせると芯板の大部分を基布と重ならない位置に退避させることは出来ないからである。このハンカチの使用は、手や顔を拭くときには前記ハンカチ５と同様であり、冷風を発生したいときには図２（ｂ）（ｃ）で説明した前記ハンカチ４と同様である。
　ここで、連結具５３に代えて芯板５２の外周側隅部に糸、紐等の糸状体を貫通して芯板及び基布の隅部を縫合又は結付けて連結してもよい。ここで手や顔を拭くときには、重ね合わされている芯板を糸状体回りに反転させ芯板の大部分が基布と重ならない退避する位置に移動させればよい。冷風を発生したいときには、前記ハンカチ４、５と同様である。　　　
【００１６】
　前記ハンカチ１乃至４において、基布と芯板との不動状態の固着をミシン糸等通し縫合することによっているが、基布及び芯板間に接着剤又は面ファスナーを介在させてしてもよい。接着剤の場合は、基布と芯板の各素材との組合わせ、耐洗濯性、耐光性及び人体への悪影響のないものを選択する必要があり、また基布からしみ出すことがあり、接着箇所を全面でなく芯板が不動状態に保持可能な最小限とするのが好ましい。又面ファスナーの場合もループ及びフックを向合う基布及び芯板に芯板が不動状態に保持可能な最小限使用するのが好ましい。
　前記ハンカチ１乃至５においては、基布（ハンカチ１においては上布及び下布）及び芯板は略正方形として説明したが、それぞれ略長方形であってもよい。
　前記ハンカチ１乃至５においては、芯板は基布（ハンカチ１においては上布及び下布）を略四等分又は略十六等分した大きさで略方形状であるが、この形状の芯板周囲に僅かな内側への切込みを加えたり、芯板内面に僅かな切込みを加えたり、芯板表面に僅かな凹凸を加えたり、又は切込みと凹凸両方を加えたりして、所望のデザインによる模様を有する形状に形成して、美観をもたせたり、遊び心を刺激するようにしてもよい。しかし、大幅な切込みを加えることは冷風発生を減殺することとなるので好ましくない。
　前記ハンカチ１乃至５においては、芯板を板状材としたがこれに代えて硬質又は半硬質のプラスチック製細長材例えば断面円形、方形、多角形又は異形状材等を多数並べて簾状に形成してもよい。これは、細長材は長手方向には適度の硬さをもたせ冷風発生に対応させ、幅方向には柔軟性をもたせ基布の芯板が重ねられていない部分と同様に容易に丸めることができるようにしたものである。
【産業上の利用可能性】
【００１７】
　暑い季節、人込みの多い場所等での汗拭き、冷風発生の用途に好適である。
【図面の簡単な説明】
【００１８】
【図１】本考案の、第一例のハンカチの（ａ−１）正面図及び（ａ−２）一部のＡＡ断面図である。第二例のハンカチの（ｂ−１）正面図及び（ｂ−２）一部のＢＢ断面図である。第三例のハンカチの（ｃ−１）正面図及び（ｃ−２）一部のＣＣ断面図である。
【図２】本考案の第四例のハンカチの（ａ）正面図、（ｂ）折畳み使用状態正面図（ｃ）折畳み使用状態側面図である。
【図３】本考案の第一例のハンカチの折畳み使用状態説明図で、（ａ）正面図及び（ｂ）側面図である。
【図４】本考案の第五例のハンカチの（ａ）正面図、（ｂ）一部のＤＤ断面図，（ｃ）退避状態説明図である。
【符号の説明】
【００１９】
　　１、２、３、４、５　ハンカチ
　１１、２１、３１、４１、５１　基布
　１２、２２、３２、４２、５２　芯板
　１１ａ　上布
　１１ｂ　下布
　１１ｄ〜１１ｆ、２１ａ〜２１ｂ、２３ｂ、３１ａ、３１ｂ、３２ａ、４２ａ　縫目
　２３ａ　張出し部
　５３　連結具
【図１】
0003100261.tif 000003
【図２】
0003100261.tif 000004
【図３】
0003100261.tif 000005
【図４】
0003100261.tif 000006